(57)【要約】【課題】ユーザーにとって適切な緊急地震速報が発せられたときにスタンバイ状態である電源部を起動し、適切な地震情報が得られるテレビジョン受信機を得ることを目的とする。【解決手段】本発明に係るテレビジョン受信機は、放送波を受信し選局するチューナー２、緊急地震速報時に放送される報知音が記憶された報知音記憶部６、チューナー２で選局された放送波の音声と報知音記憶部６に記憶された報知音を比較して比較結果を出力する音声比較部５、緊急地震速報の受信用に登録された速報受信用放送局を記録するメモリ８、電源部９のスタンバイ状態においてメモリ８に記録されている速報受信用放送局をチューナー２を介して選局し、スタンバイ状態において比較結果が一致すると判別されたとき電源部９を起動状態に切り替えるマイクロコンピュータ７を備えて構成される。【選択図】  図１
2009159190.tif 000002
【特許請求の範囲】
【請求項１】
放送波を受信し選局するチューナーと、
緊急地震速報時に放送される報知音が記憶された報知音記憶部と、
前記チューナーで選局された前記放送波の音声と前記報知音記憶部に記憶された前記報知音を比較して比較結果を出力する音声比較部と、
緊急地震速報の受信用に登録された速報受信用放送局を記録するメモリと、
電源部のスタンバイ状態において前記メモリに記録されている前記速報受信用放送局を前記チューナーを介して選局し、前記スタンバイ状態において前記比較結果が一致すると判別されたとき前記電源部を起動状態に切り替えるマイクロコンピュータと、を備える、
テレビジョン受信機。
【請求項２】
前記メモリは、前記起動状態から前記スタンバイ状態に切り替わる直前に視聴していた直前視聴放送局、および現在の前記電源部の状態をさらに記録し、
前記マイクロコンピュータは、前記比較結果および前記メモリに記録された情報に応じて、前記チューナーおよび前記電源部を制御する、
請求項１に記載のテレビジョン受信機。
【請求項３】
前記マイクロコンピュータは、外部からの操作に応じた前記スタンバイ状態から前記起動状態への切り替え信号に応じて前記メモリに記録されている前記直前視聴放送局を前記チューナーを介して選局するとともに、前記電源部を起動させる、
請求項２に記載のテレビジョン受信機。
【発明の詳細な説明】
【技術分野】
【０００１】
この発明は、テレビジョン受信機における緊急地震速報の受信に関する。
【背景技術】
【０００２】
２００７年１０月１日から一般向けの緊急地震速報が開始された。緊急地震速報とは、地震発生直後に観測された地震の初期微動をもとに各地の地震到達時刻や震度を予測し、その情報を発信するものである。テレビ放送においては、気象庁から発信された地震情報から、地震の発生地域や震度をもとに各放送局が独自に定めた基準によって地震情報を放送する。放送の際、各放送局独自の報知音とともに地震の情報が表示される。
【０００３】
一方、緊急地震速報に類似したもので緊急警報放送があり、これは、東海大地震、津波などの警報や都道府県知事の要請等で放送される。緊急警報放送には特別な識別信号が含まれており、緊急警報放送に対応した機器では、スタンバイ状態にしていると自動で電源を起動し、災害発生を知ることができる。また特許文献１では、緊急警報放送に対応した機器と同様に、電源がＯＦＦであってもＲＤＳ（ラジオデータシステム）の番組識別コードにより緊急放送が放送中であることが検出された場合は、音声を出力させるオーディオ機器が提案されている。
【０００４】
しかし、緊急地震速報では、緊急警報放送やＲＤＳのように自動で電源を起動させる識別信号は含まれていないため、テレビを視聴しているときには緊急地震速報を確認することができるが、テレビを視聴していないときに緊急地震速報が発せられても、その情報を得ることができない。家庭では常にテレビを視聴しているわけではないため、その場合、緊急地震速報を確認できず、地震に対する備えをすることができない。
【０００５】
特許文献２では、スタンバイ状態においてアラーム音および文字による緊急放送を受信したときに、映像表示部等の電源部をオンさせて起動状態に移行する緊急情報受信装置が提案されている。
【０００６】
【特許文献１】実開平６−２６３２７号公報
【特許文献２】特開平７−２６４５１２号公報
【発明の開示】
【発明が解決しようとする課題】
【０００７】
しかしながら、特許文献２の緊急情報受信装置では、スタンバイ状態であるときに受信する放送局を定める機能を有しておらず、スタンバイ直前に受信していた放送波を受信し続けるため、最後に受信していた放送局の基準による地震情報を得ることになる。放送局は地震が発生した地域や震度によって緊急地震速報を放送するかどうかを決める独自の基準を持っているため、この場合、ユーザーが望んでいない地震情報で電源が起動することや、ユーザーが望んでいる地震情報で電源が起動しないことがある。すなわち、表示される地震情報の内容は放送局によってばらばらであるため、ユーザーが望んでいる情報を得ることができないといった問題があった。また、緊急地震速報を送信しない放送局を最後に視聴していた場合には、地震情報を全く得ることができないといった問題があった。さらに、ビデオやＤＶＤなどの外部入力を最後に視聴していた場合には、警報の検出部は動作しているのでテレビジョン受信機は自動で起動するが、無信号状態で起動するため、ユーザーは緊急地震速報が発せられたことに気づいても、正確に地震情報を得ることができないといった問題があった。
【０００８】
本発明は上述のような問題を解決するためになされたものであり、ユーザーにとって適切な緊急地震速報が発せられたときにスタンバイ状態である電源部を起動し、適切な地震情報が得られるテレビジョン受信機を得ることを目的とする。
【課題を解決するための手段】
【０００９】
本発明に係るテレビジョン受信機は、放送波を受信し選局するチューナー、緊急地震速報時に放送される報知音が記憶された報知音記憶部、チューナーで選局された放送波の音声と報知音記憶部に記憶された報知音を比較して比較結果を出力する音声比較部、緊急地震速報の受信用に登録された速報受信用放送局を記録するメモリ、電源部のスタンバイ状態においてメモリに記録されている速報受信用放送局をチューナーを介して選局し、スタンバイ状態において比較結果が一致すると判別されたとき電源部を起動状態に切り替えるマイクロコンピュータを備えて構成される。
【発明の効果】
【００１０】
本発明のテレビジョン受信機は、緊急地震速報の受信用に登録された速報受信用放送局を記録するメモリと、電源部のスタンバイ状態においてメモリに記録されている速報受信用放送局をチューナーを介して選局し、音声比較部による比較結果が一致すると判別されたとき電源部を起動状態に切り替えるマイクロコンピュータとを備えているため、スタンバイ状態において常に適切な地震の情報を得ることができ、地震に対する適切な備えをすることが可能である。
【発明を実施するための最良の形態】
【００１１】
以下、この発明をその実施の形態を示す図面に基づいて具体的に説明する。
【００１２】
（構成）
図１に本発明に係るテレビジョン受信機のブロック図を示す。テレビジョン受信機は、放送波を受信するアンテナ１、アンテナ１と接続されアンテナ１からの放送波を受信し選局するチューナー２、チューナー２と接続されチューナー２により選局された放送波を復調する復調部３、復調部３と接続され復調された放送波を映像・音声・データ放送などに分離するデコード部４を備える。
【００１３】
また、緊急地震速報時に放送される報知音が記憶された報知音記憶部６、報知音記憶部６およびデコード部４と接続されチューナー２で選局された放送波の音声と報知音記憶部６に記憶された報知音を比較して比較結果を出力する音声比較部５、各種情報を記録するメモリ８、電源部９を備える。さらに、音声比較部５、メモリ８、電源部９と接続され、各ブロックを制御するマイクロコンピュータ７を備える。
【００１４】
（動作）
次に、本発明に係るテレビジョン受信機の動作を、図１に示すブロック図と図２に示すフローチャートを基に説明する。
【００１５】
図２に示すようにテレビジョン受信機の動作がスタートし受信が行われている状態において、外部からの操作に応じて、すなわちユーザーの手によって起動状態からスタンバイ状態への切り替え信号が発せられ電源部９がスタンバイ状態になったとき（ステップＳ１）、マイクロコンピュータ７は電源部９の状態がスタンバイ状態であること、すなわち現在の電源部９の状態、および起動状態からスタンバイ状態に切り替わる直前に視聴していた放送局（直前視聴放送局）をメモリ８に記録する（ステップＳ２、ステップＳ３）。
【００１６】
また、メモリ８には緊急地震速報の受信用に登録された放送局（速報受信用放送局）が記録されており、マイクロコンピュータ７は速報受信用放送局をチューナー２を介して選局する（ステップＳ４）。速報受信用放送局はユーザーがあらかじめ登録しておくものとする。チューナー２を介して選局された放送波は復調部３によって復調され、デコード部４によって映像・音声・データ放送などに分離される。
【００１７】
その後、ユーザーの手によってスタンバイ状態から起動状態への切り替え信号が発せられたときは（ステップＳ５→ステップＳ６）、それに応じてマイクロコンピュータ７はメモリ８に記録されている直前視聴放送局を読み出し、チューナー２を介してその放送局を選局する（ステップＳ６）。同時にマイクロコンピュータ７は電源部９が起動している状態であることをメモリ８に記録する（ステップＳ７）。その後、マイクロコンピュータ７は電源部９を起動させ（ステップＳ９）、直前視聴放送局が放送される。以上により、ユーザーの手によってスタンバイ状態から起動状態へ切り替えられたときのマイクロコンピュータ７の動作は終了する。
【００１８】
一方、スタンバイ状態の電源部９がユーザーの手によって起動されない間は（ステップＳ５→ステップＳ８）、音声比較部５によって放送波の音声と報知音記憶部に記憶された報知音の比較が行われる（ステップＳ８）。比較結果が一致すると判別されたとき、すなわち放送波の音声に緊急地震速報の報知音が検出されれば（ステップＳ８→ステップＳ９）、マイクロコンピュータ７は電源部９を起動状態に切り替え（ステップＳ９）、速報受信用放送局がそのまま放送される。以上により、音声比較部５の比較結果によってスタンバイ状態から起動状態へ切り替えられたときのマイクロコンピュータ７の動作は終了する。
【００１９】
スタンバイ状態の電源部９がユーザーの手によって起動されず、かつ放送波の音声に緊急地震速報の報知音が検出されない間は、電源部９はスタンバイ状態のまま通常動作、すなわち音声比較部５による比較が継続される（ステップＳ８→ステップＳ１０）。
【００２０】
また、電源部９が電源起動状態の場合、すなわちメモリ８に電源部９が起動している状態であることが記録されている間は、ユーザーの手によって電源部９をスタンバイ状態から電源起動状態にする信号が発せられた場合、あるいは音声比較部５によって放送波の音声に緊急地震速報の報知音が検出された場合ともにマイクロコンピュータ７は特に動作せず、電源部９やチューナー２はそのままの状態が維持される。
【００２１】
以上のように、マイクロコンピュータ７は、ユーザーにより発せられる起動状態とスタンバイ状態の切り替え信号、音声比較部５による比較結果およびメモリ８に記録された情報に応じてメモリ８、チューナー２および電源部９を制御する機能を備える。
【００２２】
（効果）
本発明のテレビジョン受信機は、緊急地震速報の受信用に登録された速報受信用放送局を記録するメモリ８と、電源部９のスタンバイ状態においてメモリ８に記録されている速報受信用放送局をチューナー２を介して選局し、音声比較部による比較結果が一致すると判別されたとき電源部９を起動状態に切り替えるマイクロコンピュータ７とを備えているため、スタンバイ状態において常に適切な地震の情報を得ることができ、地震に対する適切な備えをすることが可能である。
【００２３】
また、直前視聴放送局を記録するメモリ８と、ユーザーにより発せられるスタンバイ状態から起動状態への切り替え信号に応じてメモリ８に記録されている直前視聴放送局をチューナー２を介して選局するマイクロコンピュータ７とを備えているため、ユーザーによりスタンバイ状態から起動状態への切り替え信号が発せられた場合は、スタンバイ状態の直前に視聴していた放送局を自動的に選択することが可能である。
【図面の簡単な説明】
【００２４】
【図１】本発明に係るテレビジョン受信機のブロック図である。
【図２】本発明に係るテレビジョン受信機のフローチャートを示す図である。
【符号の説明】
【００２５】
１  アンテナ、２  チューナー、３  復調部、４  デコード部、５  音声比較部、６  報知音記憶部、７  マイクロコンピュータ、８  メモリ、９  電源部。
【図１】
2009159190.tif 000003
【図２】
2009159190.tif 000004